(57)【特許請求の範囲】
【請求項１】
発光部前面にレンズが形成されてなるディスクリートタイプの白色発光ダイオードを複数個用いて撮影視野の照明を行なう撮影用照光装置において、
撮影レンズの画角と概略同じか若干狭い照射角の発光照射角を有する少なくとも１つの白色発光ダイオードを、その照射野がほぼ撮影視野全域をカバーするようにその光軸を撮影レンズの光軸にほぼ平行に配置するとともに、
発光照射角が撮影レンズの画角より狭い２個以上の白色発光ダイオードを、これら２個以上の発光ダイオードの組み合わせにより照射野が撮影視野全域をカバーするように、各々の光軸を撮影レンズの光軸に対して角度を付けて配置したことを特徴とする撮影用照光装置。
【請求項２】
発光部前面にレンズが形成されてなるディスクリートタイプの白色発光ダイオードを複数個用いて撮影視野の照明を行なう撮影用照光装置において、
撮影レンズの画角と概略同じか若干狭い照射角の発光照射角を有し、その照射野がほぼ前記撮影視野全域をカバーするように少なくとも１つの白色発光ダイオードを、その光軸を撮影レンズの光軸にほぼ平行に配置し、
発光照射角が撮影レンズの画角より狭い２個以上の白色発光ダイオードを、これら２個以上の発光ダイオードの組み合わせによる照射野が撮影視野全域をカバーするように、各々の光軸を撮影レンズの光軸に対して角度を付けて配置してなり、
前記撮影視野全域を、各々が少なくとも１個の前記発光照射角が撮影レンズの画角より狭い白色発光ダイオードの照射野に対応する複数の分割測光領域に分割して測光する分割測光手段と、
基準輝度情報を保持し且つ前記分割測光手段の測光結果と前記基準輝度情報とを比較して前記測光結果が前記基準輝度を超えたか否かを判定する輝度判定手段と、
前記輝度判定手段による前記分割測光領域毎の測光結果と前記基準輝度情報との比較による判定結果に基づいて前記発光照射角が撮影レンズの画角より狭い複数の白色発光ダイオードを選択的に発光させる発光制御手段と
をさらに具備し、且つ
前記発光制御手段は、前記複数の白色発光ダイオードのうちの、前記測光結果が該基準輝度以下と判定された分割測光領域に対応する撮影視野部分を照明する白色発光ダイオードを選択的に発光させ、
さらに、前記撮影レンズの画角より若干狭い照射角以上の発光照射角を有する少なくとも１つの白色発光ダイオードを同時発光させること
を特徴とする撮影用照光装置。
【請求項３】
フィルム感度の値に応じて前記輝度判定手段に保持される前記基準輝度情報の値を変化させるためのフィルム感度設定手段をさらに具備することを特徴とする請求項２に記載の撮影用照光装置。
【請求項４】
発光部前面にレンズが形成されてなるディスクリートタイプの白色発光ダイオードを複数個用いて撮影視野の照明を行なう撮影用照光装置において、
撮影レンズの画角と概略同じか若干狭い照射角の発光照射角を有し、その照射野がほぼ前記撮影視野全域をカバーするように少なくとも１つの白色発光ダイオードを、その光軸を撮影レンズの光軸にほぼ平行に配置し、
発光照射角が撮影レンズの画角より狭い２個以上の白色発光ダイオードを、これら２個以上の発光ダイオードの組み合わせによる照射野が撮影視野全域をカバーするように、各々の光軸を撮影レンズの光軸に対して角度を付けて配置してなり、
前記撮影視野全域を、各々が少なくとも１個の前記発光照射角が撮影レンズの画角より狭い白色発光ダイオードの照射野に対応する複数の分割測光領域に分割して測光する分割測光手段と、
前記分割測光手段の各分割測光領域で測光された輝度を、前記測光領域相互間で比較する輝度比較手段と、
前記輝度比較手段の比較結果に基づく輝度差が所定値を超えたか否かを判定する輝度差判定手段と、
前記輝度差判定手段による判定結果に基づいて前記発光照射角が撮影レンズの画角より狭い複数の白色発光ダイオードを選択的に発光させる発光制御手段と
をさらに具備し、且つ
前記発光制御手段は、前記発光照射角が撮影レンズの画角より狭い複数の白色発光ダイオードのうちの、前記輝度差判定手段により前記輝度差が前記所定値を超えたと判定された２つの分割測光領域のうちの低輝度側の前記分割測光領域に対応する撮影視野部分を照明する白色発光ダイオードを選択的に発光させ、
さらに、前記撮影レンズの画角より若干狭い照射角以上の発光照射角を有する少なくとも１つの白色発光ダイオードを同時発光させること
を特徴とする撮影用照光装置。
【請求項５】
前記分割測光手段は、前記撮影視野全域を、前記撮影レンズの画角の中央近傍の部分とその周辺の部分の２つの分割測光領域に分割し、且つ前記発光制御手段は、前記輝度差判定手段により前記輝度差が前記所定値を超え、前記撮影レンズの画角の中央近傍の分割測光領域が低輝度側であると判定された場合、前記撮影レンズの画角の中央近傍の分割測光領域を照射野に含む前記白色発光ダイオードの少なくとも１つを発光させることを特徴とする請求項４に記載の撮影用照光装置。
【請求項６】
被写体距離を計測する測距手段と、
適用されるフィルム感度を検出するフィルム感度検出手段と、
前記測距手段による測距結果および前記フィルム感度検出手段により検出されたフィルム感度に基づいて被写体に照射すべき照射光量を求める光量演算手段と
をさらに具備し、且つ
前記発光制御手段は、前記光量演算手段によって求められた照射光量に基づいて前記白色発光ダイオードの発光個数および発光光量の少なくとも一方を可変制御することを特徴とする請求項２〜請求項５のうちのいずれか１項に記載の撮影用照光装置。
【請求項７】
前記撮影レンズの開口を制御する絞り手段と、
被写体照明として前記白色発光ダイオードを発光させる際には、前記絞り手段による絞り開口を絞り開放に制御する絞り制御手段と
をさらに含むことを特徴とする請求項２〜請求項６のうちのいずれか１項に記載の撮影用照光装置。
【請求項８】
前記複数個の白色発光ダイオードは、他の表示、例えばセルフタイマー等、に兼用されることを特徴とする請求項１に記載の撮影用照光装置。
【請求項９】
前記撮影レンズの画角と概略同じか若干狭い照射角の発光照射角を有し、その照射野がほぼ前記撮影視野全域をカバーするようにその光軸を撮影レンズの光軸にほぼ平行に配置した白色発光ダイオードのうちの少なくとも１つは、他の表示、例えばセルフタイマー等、に兼用されることを特徴とする請求項１に記載の撮影用照光装置。
【請求項１０】
前記発光制御手段は、前記白色発光ダイオードの発光光量を可変制御する光量制御手段を含み、且つ前記光量制御手段は、前記他の表示、例えばセルフタイマー等、の際には、被写体照明の場合に比して発光光量を変えることを特徴とする請求項８または請求項９に記載の撮影用照光装置。
【発明の詳細な説明】
【０００１】
【発明の属する技術分野】
本発明は、銀塩フィルムを用いる銀塩カメラ、ディジタルカメラ等と称される電子カメラ、およびビデオカメラ等による撮影に際し被写体に照明光を照射するための撮影用照光装置の改良に係り、特に、高感度フィルムを用いた撮影や電子カメラを用いた撮影に好適な撮影用照光装置に関する。
【０００２】
【従来の技術】
近年、写真フィルム、いわゆる銀塩フィルムの感度が向上し、ＩＳＯ感度８００〜１６００等の高感度フィルムが、一般に入手し得るようになった。さらにデジタルスチルカメラ等と称される電子カメラにおいてもＣＣＤ（電荷結合素子）撮像素子等のような撮像素子の感度も向上してきており、被写体照明に従来のような大光量が必ずしも必要でなくなってきた。
さらに、発光ダイオード（ＬＥＤ）（以下、「ＬＥＤ」と称する）の輝度の向上も目覚しく、しかも光の３原色である赤色、緑色および青色が入手できるようになり、各種照明に利用されるようになってきた。
最近では、例えば、特開２０００−８９３１８号公報、特開２０００−２３５２４５号公報、および特開平１０−２１７０３号公報等において、ＬＥＤを光源にした写真用照明装置が提案されている。特開２０００−８９３１８号公報には、複数の白色ＬＥＤを近接して並べ、これらのＬＥＤの前方に各ＬＥＤにそれぞれ対応する複数のレンズを一体成型したものを配置した構成が示されており、ビデオカメラの照明に用いる旨が記載されている。
特開２０００−２３５２４５号公報には、レンズ付きフィルムの近接撮影用に赤、青および緑のＬＥＤを発光させるようにしたものが示されている。また、特開平１０−２１７０３号公報には、外観検査等の近距離の照明用で、ＬＥＤにより照射むらを少なくした光源を得る構成が示されている。
【０００３】
【発明が解決しようとする課題】
近年、ＬＥＤの輝度が高くなってきたとはいえ、複数個使用しなければ、写真撮影に用いるには十分な光量を得ることはできず、しかも、少しでも発光の無駄を少なくする必要がある。
カメラの撮影範囲は、一般に矩形である。ところが、照明に一般に用いられる円筒型ＬＥＤの照射範囲は、ほとんどの場合円形である。そのため、ＬＥＤの照射角を広げてカメラの撮影範囲を全てカバーしようとすると、図２および図３に示す照射範囲ＬＡ０のように、撮影範囲ＰＡの外側に多くの無駄な部分を生じる。
本発明は、上述した事情に鑑みてなされたもので、発光部前面にレンズが形成されてなるディスクリートタイプの白色ＬＥＤを複数個用いて、前面に形成されるレンズによる照射角が撮影レンズの画角より狭い白色ＬＥＤを組み合わせることにより、撮影視野を効率よく照光し得る撮影用照光装置を提供することを目的としている。
【０００４】
本発明の請求項１の目的は、特に、複数の白色ＬＥＤによる照射ムラを改善し得る撮影用照光装置を提供することにある。
本発明の請求項２の目的は、特に、個別の白色ＬＥＤにより分割照明された撮影範囲の各部の輝度とその他の部分の輝度差が極端に大きくならないようにするとともに、複数の部分照明による光量ムラを改善し、撮影範囲全体に渡ってバランスの良い明るさにすることを可能とし、省電力化を達成し得る撮影用照光装置を提供することにある。
本発明の請求項３の目的は、特に、発光制御の基準輝度を使用感度に合わせて変化させ、より適切な発光基準を設定することを可能とする撮影用照光装置を提供することにある。
本発明の請求項４の目的は、特に、個別の白色ＬＥＤにより分割照明された撮影範囲の各部の輝度とその他の部分の輝度差が極端に大きくならないようにするとともに、複数の部分照明による光量ムラを改善し、撮影範囲全体が明るい場合における比較的暗い部分の黒つぶれを改善し得る撮影用照光装置を提供することにある。
本発明の請求項５の目的は、特に、逆光撮影に対応し得る撮影用照光装置を提供することにある。
【０００５】
本発明の請求項６の目的は、特に、被写体までの距離とフィルム感度に基づき撮影範囲の各部分に対応する白色ＬＥＤの光量の設定を可能とし、より正確な露光量を得ることができる撮影用照光装置を提供することにある。
本発明の請求項７の目的は、特に、被写体を白色発光ダイオードで照明する際に、撮影レンズの絞り開口を開放、すなわち最大開口とし、白色発光ダイオードの光量を無駄なく利用し得る撮影用照光装置を提供することにある。
本発明の請求項８〜請求項１０の目的は、特に、照明用の白色発光ダイオードを、例えばセルフタイマー等のような、他の表示に利用することによって、小型化およびローコスト化を実現し得る撮影用照光装置を提供することにある。
【０００６】
【課題を解決するための手段】
請求項１に記載した本発明に係る撮影用照光装置は、上述した目的を達成するために、
発光部前面にレンズが形成されてなるディスクリートタイプの白色発光ダイオードを複数個用いて撮影視野の照明を行なう撮影用照光装置において、
撮影レンズの画角と概略同じか若干狭い照射角の発光照射角を有する少なくとも１つの白色発光ダイオードを、その照射野がほぼ撮影視野全域をカバーするように撮影その光軸を撮影レンズの光軸にほぼ平行に配置するとともに、
発光照射角が撮影レンズの画角より狭い２個以上の白色発光ダイオードを、これら２個以上の発光ダイオードの組み合わせにより照射野が撮影視野全域をカバーするように、各々の光軸を撮影レンズの光軸に対して角度を付けて配置したことを特徴としている。
【０００７】
また、請求項２に記載した本発明に係る撮影用照光装置は、上述した目的を達成するために、
発光部前面にレンズが形成されてなるディスクリートタイプの白色発光ダイオードを複数個用いて撮影視野の照明を行なう撮影用照光装置において、
撮影レンズの画角と概略同じか若干狭い照射角の発光照射角を有し、その照射野がほぼ前記撮影視野全域をカバーするように少なくとも１つの白色発光ダイオードを、その光軸を撮影レンズの光軸にほぼ平行に配置し、
発光照射角が撮影レンズの画角より狭い２個以上の白色発光ダイオードを、これら２個以上の発光ダイオードの組み合わせによる照射野が撮影視野全域をカバーするように、各々の光軸を撮影レンズの光軸に対して角度を付けて配置してなり、
前記撮影視野全域を、各々が少なくとも１個の前記発光照射角が撮影レンズの画角より狭い白色発光ダイオードの照射野に対応する複数の分割測光領域に分割して測光する分割測光手段と、
基準輝度情報を保持し且つ前記分割測光手段の測光結果と前記基準輝度情報とを比較して前記測光結果が前記基準輝度を超えたか否かを判定する輝度判定手段と、
前記輝度判定手段による前記分割測光領域毎の測光結果と前記基準輝度情報との比較による判定結果に基づいて前記発光照射角が撮影レンズの画角より狭い複数の白色発光ダイオードを選択的に発光させる発光制御手段と
をさらに具備し、且つ
前記発光制御手段は、前記複数の白色発光ダイオードのうちの、前記測光結果が該基準輝度以下と判定された分割測光領域に対応する撮影視野部分を照明する白色発光ダイオードを選択的に発光させ、
さらに、前記撮影レンズの画角より若干狭い照射角以上の発光照射角を有する少なくとも１つの白色発光ダイオードを同時発光させることを特徴としている。
【０００８】
請求項３に記載した本発明に係る撮影用照光装置は、フィルム感度の値に応じて前記輝度判定手段に保持される前記基準輝度情報の値を変化させるためのフィルム感度設定手段をさらに具備することを特徴としている。
請求項４に記載した本発明に係る撮影用照光装置は、上述した目的を達成するために、
発光部前面にレンズが形成されてなるディスクリートタイプの白色発光ダイオードを複数個用いて撮影視野の照明を行なう撮影用照光装置において、
撮影レンズの画角と概略同じか若干狭い照射角の発光照射角を有し、その照射野がほぼ前記撮影視野全域をカバーするように少なくとも１つの白色発光ダイオードを、その光軸を撮影レンズの光軸にほぼ平行に配置し、
発光照射角が撮影レンズの画角より狭い２個以上の白色発光ダイオードを、これら２個以上の発光ダイオードの組み合わせによる照射野が撮影視野全域をカバーするように、各々の光軸を撮影レンズの光軸に対して角度を付けて配置してなり、
前記撮影視野全域を、各々が少なくとも１個の前記発光照射角が撮影レンズの画角より狭い白色発光ダイオードの照射野に対応する複数の分割測光領域に分割して測光する分割測光手段と、
前記分割測光手段の各分割測光領域で測光された輝度を、前記測光領域相互間で比較する輝度比較手段と、
前記輝度比較手段の比較結果に基づく輝度差が所定値を超えたか否かを判定する輝度差判定手段と、
前記輝度差判定手段による判定結果に基づいて前記発光照射角が撮影レンズの画角より狭い複数の白色発光ダイオードを選択的に発光させる発光制御手段と
をさらに具備し、且つ
前記発光制御手段は、前記発光照射角が撮影レンズの画角より狭い複数の白色発光ダイオードのうちの、前記輝度差判定手段により前記輝度差が前記所定値を超えたと判定された２つの分割測光領域のうちの低輝度側の前記分割測光領域に対応する撮影視野部分を照明する白色発光ダイオードを選択的に発光させ、
さらに、前記撮影レンズの画角より若干狭い照射角以上の発光照射角を有する少なくとも１つの白色発光ダイオードを同時発光させること
を特徴としている。
【０００９】
請求項５に記載した本発明に係る撮影用照光装置は、前記分割測光手段が、前記撮影視野全域を、前記撮影レンズの画角の中央近傍の部分とその周辺の部分の２つの分割測光領域に分割し、且つ前記発光制御手段が、前記輝度差判定手段により前記輝度差が前記所定値を超え、前記撮影レンズの画角の中央近傍の分割測光領域が低輝度側であると判定された場合、前記撮影レンズの画角の中央近傍の分割測光領域を照射野に含む前記白色発光ダイオードの少なくとも１つを発光させることを特徴としている。
請求項６に記載した本発明に係る撮影用照光装置は、
被写体距離を計測する測距手段と、
適用されるフィルム感度を検出するフィルム感度検出手段と、
前記測距手段による測距結果および前記フィルム感度検出手段により検出されたフィルム感度とに基づいて被写体に照射すべき照射光量を求める光量演算手段と
をさらに具備し、且つ
前記発光制御手段が、前記光量演算手段によって求められた照射光量に基づいて前記白色発光ダイオードの発光個数および発光光量の少なくとも一方を可変制御することを特徴としている。
【００１０】
請求項７に記載した本発明に係る撮影用照光装置は、
前記撮影レンズの開口を制御する絞り手段と、
被写体照明として前記白色発光ダイオードを発光させる際には、前記絞り手段による絞り開口を絞り開放に制御する絞り制御手段と
をさらに含むことを特徴としている。
請求項８に記載した本発明に係る撮影用照光装置は、前記複数個の白色発光ダイオードが、他の表示、例えばセルフタイマー等、に兼用されることを特徴としている。
【００１１】
請求項９に記載した本発明に係る撮影用照光装置は、前記撮影レンズの画角と概略同じか若干狭い照射角の発光照射角を有し、その照射野がほぼ前記撮影視野全域をカバーするようにその光軸を撮影レンズの光軸にほぼ平行に配置した白色発光ダイオードのうちの少なくとも１つは、他の表示、例えばセルフタイマー等、に兼用されることを特徴としている。
請求項１０に記載した本発明に係る撮影用照光装置は、前記発光制御手段が、前記白色発光ダイオードの発光光量を可変制御する光量制御手段を含み、且つ前記光量制御手段は、前記他の表示、例えばセルフタイマー等、の際には、被写体照明の場合に比して発光光量を変えることを特徴としている。
【００１３】
【作用】
すなわち、本発明の請求項１による撮影用照光装置は、発光部前面にレンズが形成されたディスクリートタイプの白色発光ダイオードを複数個用いて撮影視野の照明を行なうにあたり、撮影レンズの画角と概略同じか若干狭い照射角の発光照射角を有する少なくとも１つの白色発光ダイオードを、その照射野がほぼ撮影視野全域をカバーするようにその光軸を撮影レンズの光軸にほぼ平行に配置するとともに、発光照射角が撮影レンズの画角より狭い２個以上の白色発光ダイオードを、これら２個以上の発光ダイオードの組み合わせにより照射野が撮影視野全域をカバーするように、各々の光軸を撮影レンズの光軸に対して角度を付けて配置する。
このような構成により、特に、複数の白色ＬＥＤによる照射ムラを改善することができる。
【００１４】
本発明の請求項２による撮影用照光装置は、発光部前面にレンズが形成されたディスクリートタイプの白色発光ダイオードを複数個用いて撮影視野の照明を行なうにあたり、撮影レンズの画角と概略同じか若干狭い照射角の発光照射角を有し、その照射野がほぼ前記撮影視野全域をカバーするように、少なくとも一つの白色発光ダイオードを、その光軸を撮影レンズの光軸にほぼ平行に配置し、発光照射角が撮影レンズの画角より狭い２個以上の白色発光ダイオードを、これら２個以上の発光ダイオードの組み合わせによる照射野が撮影視野全域をカバーするように、各々の光軸を撮影レンズの光軸に対して角度を付けて配置するとともに、分割測光手段により、前記撮影視野全域を、各々が少なくとも１個の前記発光照射角が撮影レンズの画角より狭い白色発光ダイオードの照射野に対応する複数の分割測光領域に分割して測光し、基準輝度情報を保持する輝度判定手段により、前記分割測光手段の測光結果と前記基準輝度情報とを比較して前記測光結果が前記基準輝度を超えたか否かを判定して、前記輝度判定手段による前記分割測光領域毎の測光結果と前記基準輝度情報との比較による判定結果に基づいて発光制御手段により発光照射角が撮影レンズの画角より狭い複数の白色発光ダイオードを選択的に発光させるとともに、前記発光制御手段が、前記複数の白色発光ダイオードのうちの、前記測光結果が該基準輝度以下と判定された分割測光領域に対応する撮影視野部分を照明する白色発光ダイオードを選択的に発光させ、さらに、前記撮影レンズの画角より若干狭い照射角以上の発光照射角を有する少なくとも１つの白色発光ダイオードを同時発光させる。
このような構成により、特に、撮影範囲の各部のうちで暗い部分だけを適切に照明し、撮影範囲全体に渡ってバランスの良い明るさにすることを可能とするとともに、明るい部分を無駄に照明することがなく、省電力化を達成することができるばかりでなく、個別の白色ＬＥＤにより分割照明された撮影範囲の各部の輝度とその他の部分の輝度差が極端に大きくならないようにするとともに、複数の部分照明による光量ムラを改善することができる。
【００１５】
本発明の請求項３による撮影用照光装置は、フィルム感度の値に応じて前記輝度判定手段に保持される前記基準輝度情報の値を変化させるためのフィルム感度設定手段をさらに具備する。
このような構成により、特に、発光制御の基準輝度を使用感度に合わせて変化させ、より適切な発光基準を設定することが可能となる。
本発明の請求項４による撮影用照光装置は、発光部前面にレンズが形成されたディスクリートタイプの白色発光ダイオードを複数個用いて撮影視野の照明を行なうにあたり、撮影レンズの画角と概略同じか若干狭い照射角の発光照射角を有し、その照射野がほぼ前記撮影視野全域をカバーするように、少なくとも一つの白色発光ダイオードを、その光軸を撮影レンズの光軸にほぼ平行に配置し、発光照射角が撮影レンズの画角より狭い２個以上の白色発光ダイオードを、これら２個以上の発光ダイオードの組み合わせによる照射野が撮影視野全域をカバーするように、各々の光軸を撮影レンズの光軸に対して角度を付けて配置するとともに、分割測光手段により、前記撮影視野全域を、各々が少なくとも１個の前記発光照射角が撮影レンズの画角より狭い白色発光ダイオードの照射野に対応する複数の分割測光領域に分割して測光し、前記分割測光手段の各分割測光領域で測光された輝度を、輝度比較手段が前記測光領域相互間で比較し、輝度差判定手段が、前記輝度比較手段の比較結果に基づく輝度差が所定値を超えたか否かを判定して、発光制御手段により、前記輝度差判定手段による判定結果に基づいて発光照射角が撮影レンズの画角より狭い前記複数の白色発光ダイオードを選択的に発光させるとともに、前記発光制御手段が、前記発光照射角が撮影レンズの画角より狭い複数の白色発光ダイオードのうちの、前記輝度差判定手段により前記輝度差が前記所定値を超えたと判定された２つの分割測光領域のうちの低輝度側の前記分割測光領域に対応する撮影視野部分を照明する白色発光ダイオードを選択的に発光させ、さらに、前記撮影レンズの画角より若干狭い照射角以上の発光照射角を有する少なくとも１つの白色発光ダイオードを同時発光させる。
このような構成により、特に、撮影範囲全体が明るい場合における比較的暗い部分の黒つぶれを改善することができると共に、別個の白色発光ダイオードにより分割照明された撮影範囲の各部の輝度とその他の部分の輝度差が極端に大きくならないようにすると共に、複数の照明による光量ムラを改善することができる。
【００１６】
本発明の請求項５による撮影用照光装置は、前記分割測光手段が、前記撮影視野全域を、前記撮影レンズの画角の中央近傍の部分とその周辺の部分の２つの分割測光領域に分割し、且つ前記発光制御手段が、前記輝度差判定手段により前記輝度差が前記所定値を超え、前記撮影レンズの画角の中央近傍の分割測光領域が低輝度側であると判定された場合、前記撮影レンズの画角の中央近傍の分割測光領域を照射野に含む前記白色発光ダイオードの少なくとも１つを発光させる。
このような構成により、特に、逆光撮影に対応し得る撮影用照光装置を提供することにある。
本発明の請求項６による撮影用照光装置は、被写体距離を計測する測距手段、および適用されるフィルム感度を検出するフィルム感度検出手段を具備し、光量演算手段が、前記測距手段による測距結果および前記フィルム感度検出手段により検出されたフォルム感度に基づいて被写体に照射すべき照射光量を求め、且つ前記発光制御手段が、前記光量演算手段によって求められた照射光量に基づいて前記白色発光ダイオードの発光個数および発光光量の少なくとも一方を可変制御する。
このような構成により、特に、被写体までの距離とフィルム感度に基づき撮影範囲の各部分に対応する白色ＬＥＤの光量の設定を可能とし、より正確な露光量を得ることができる。
【００１７】
本発明の請求項７による撮影用照光装置は、被写体照明として前記白色発光ダイオードを発光させる際には、絞り制御手段により前記撮影レンズの開口を制御する絞り手段による絞り開口を絞り開放に制御する。
このような構成により、特に、被写体を白色ＬＥＤで照明する際に、撮影レンズの絞り開口を開放、すなわち最大開口とし、白色ＬＥＤの光量を無駄なく利用することができる。
【００１８】
本発明の請求項８による撮影用照光装置は、前記複数個の白色発光ダイオードが、他の表示、例えばセルフタイマー等、に兼用される。
本発明の請求項９による撮影用照光装置は、前記撮影レンズの画角と概略同じか若干狭い照射角の発光照射角を有し、その照射野がほぼ撮影視野全域をカバーするように撮影光軸を撮影レンズの光軸にほぼ平行に配置した白色発光ダイオードのうちの少なくとも１つは、他の表示、例えばセルフタイマー等、に兼用される。
本発明の請求項１０による撮影用照光装置は、前記発光制御手段が、前記白色発光ダイオードの発光光量を可変制御する光量制御手段を含み、且つ前記光量制御手段が、前記他の表示、例えばセルフタイマー等、の際には、被写体照明の場合に比して発光光量を変える。
以上の請求項８〜請求項１０のような構成により、特に、照明用の白色ＬＥＤを、例えばセルフタイマー等のような、他の表示に利用することによって、小型化およびローコスト化を実現し得る。
【００１９】
【発明の実施の形態】
以下、実施の形態に基づき、図面を参照して本発明の撮影用照光装置を詳細に説明する。
図１は、本発明の第１の実施の形態に係る撮影用照光装置を装備したカメラの概略構成を示している。なお、図１に示す（ａ）は、図１における撮影用照光装置を構成する白色ＬＥＤの上面から見た配置を示す詳細図であり、（ｂ）は、図１における撮影用照光装置を構成する白色ＬＥＤの右側面から見た配置を示す詳細図である。
図１に示すカメラは、撮影レンズ系１、レリーズボタン２および撮影用照光装置３を有しており、これらがカメラボディＣＢに収容・搭載されている。撮影レンズ系１は、対物面保護のための開閉動作するバリア１ａを有している。レリーズボタン２は、撮影時に押操作される。
【００２０】
撮影用照光装置３は、複数個、この場合６個の白色ＬＥＤ３Ａ、３Ｂ、３Ｃ、３Ｄ、３Ｅおよび３Ｆが図示のように近接して配列されている。各白色ＬＥＤ３Ａ〜３Ｆは、撮影レンズ系１の画角よりも狭い照射角を有している。上下方向に配列される白色ＬＥＤ３Ａおよび３Ｄと、白色ＬＥＤ３Ｂおよび３Ｅと、白色ＬＥＤ３Ｃおよび３Ｆとは、（ｂ）に示すように被写体側に向かって上下方向に拡がり角が与えられて配列されており、左右方向に配列される白色ＬＥＤ３Ａ〜３Ｃと、白色ＬＥＤ３Ｄ〜３Ｆとは、（ａ）に示すようにやはり被写体側に向かって左右方向に拡がり角が与えられて配列されている。
図２に撮影視野と照射野の関係を示す。従来のように、撮影視野範囲ＰＡを単一のＬＥＤでカバーしようとする場合の撮影レンズ系１の画角に相当する照射範囲ＬＡ０に対して、撮影視野範囲ＰＡを６個のＬＥＤ３Ａ〜３Ｆでカバーしようとする場合の撮影レンズ系１の画角に相当する照射範囲ＬＡ１１〜ＬＡ１６には、撮影視野範囲ＰＡを外れる無駄な照射光が非常に少ないことがわかる。
【００２１】
すなわち、円筒形ＬＥＤの指向特性はＬＥＤの前面に様々な形状の樹脂レンズが設けられたものが市販されている。ＬＥＤメーカのカタログには、照射角が１０°程度の製品から照射角が８０°程度の製品までさまざまな指向特性を有する品種が紹介されており、発光量が同程度ならば、指向特性における照射角が狭い程高い照射輝度を得ることができる。
この第１の実施の形態は、本発明に係る原理的な構成を示している。
今、カメラの撮影レンズ系１の画角を５０°から７０°とし、画面のアスペクト比を４：３として、図２に示すように、撮影視野範囲を上下に２分割し且つ左右に３分割して、全体で６分割した場合、分割された個々の撮影視野範囲に必要な照射角は、２０°から３０°となる。また、ちなみに図３に示すように、上下に３分割し、且つ左右に４分割して、全体で１２分割した場合の分割された１つの撮影範囲に必要な照射角は、１５°から２２°となる。これらのように、照射角が１５°〜３０°近傍であるＬＥＤはもっとも汎用性が高く、入手が容易である。
【００２２】
図１は、撮影視野範囲を６分割して、６個の白色ＬＥＤ３Ａ〜３Ｆで照明する場合の例を示している。図示のように、カメラボディＣＢの正面から見て右上に６個の白色ＬＥＤ３Ａ〜３Ｆを配置して、撮影用照光装置３を構成している。先に述べたように、各白色ＬＥＤ３Ａ〜３Ｆは、それぞれ撮影レンズ系１の光軸に対して上下・左右方向に適宜角度を付けて取り付けられており、全体としての照射野が図２のように撮影範囲全体をカバーする。
図１に示す実施の形態においては、分割された撮影範囲を照射する白色ＬＥＤは、各撮影範囲毎に１個として説明したが、もちろん複数個ずつ用いるようにしても良い。また、撮影用照光装置３を構成する各ＬＥＤ３Ａ〜３Ｆは、図１に示すように１箇所にまとめて近接配置する必要はなく、それぞれ対応する撮影範囲を照射できればカメラボディＣＢのどの部分に配置しても構わない。
先に述べたように、図２および図３は、それぞれ撮影視野範囲全体を６分割する場合および１２分割する場合の各分割範囲に対応する白色ＬＥＤの照射範囲を図示したものである。
このようにディスクリートタイプの白色ＬＥＤであって、しかも白色ＬＥＤの前面にそれぞれ形成されるレンズによる照射角を撮影レンズ系の画角よりも狭い複数個の白色ＬＥＤ３Ａ〜３Ｆを使用し、各白色ＬＥＤの光軸を撮影レンズ系の光軸に対して角度を付けて配置して、撮影用照光装置３を構成し、複数個の白色ＬＥＤ３Ａ〜３Ｆによる合成照射野で撮影視野範囲全域をカバーするようにしたため、撮影に寄与しない部分の光量を大幅に減らすことができる。
【００２３】
次に、請求項１に対応する第２の実施の形態について、図４を参照して説明する。図４に示す第２の実施の形態においても撮影視野範囲を６分割して、照光するようにしている。この場合、分割された個々の範囲をそれぞれ照明する６個の照射角の狭い白色ＬＥＤ４Ａ〜４Ｆと、撮影視野範囲のほぼ全体を照明する照射角の広い１個の白色ＬＥＤ４Ｇとによって、撮影用照光装置４を構成している。この照射角の広い１個の白色ＬＥＤ４Ｇによる照射範囲は、例えば、図２に示す照射範囲ＬＡ４７のように撮影視野範囲のほぼ全体とする。
もちろん、図１に示した第１の実施の形態の場合と同様に、撮影視野範囲の分割された各部分をそれぞれ照明するのに複数個の白色ＬＥＤを用いるようにしてもよいし、撮影範囲全体を照明する白色ＬＥＤを複数個設けるようにしても良い。また、撮影用照光装置４を構成する各ＬＥＤ４Ａ〜４Ｇは、図示のように１個所にまとめて近接配置する必要はなく、それぞれ対応する照射範囲を照射することができるようにさえすれば、カメラボディＣＢの何処に配置しても構わない。
【００２４】
次に、請求項２〜請求項５に対応する本発明の第３の実施の形態による撮影用照光装置を組み込んだカメラの電気系の構成を図５に示すブロック図を参照して説明する。図５に示すカメラは、撮影用照光装置５、ＣＰＵ（中央制御装置）６、ＬＥＤドライバ７、分割測光手段８、フィルム感度検出手段９、絞り制御手段１０および電源としての電池１１を備えている。
この場合、撮影用照光装置５を構成する白色ＬＥＤ５Ａ〜５Ｆは、撮影視野範囲の分割された各領域を照明し、白色ＬＥＤ５Ｇは、照射角が撮影レンズ系の画角と概略同じかそれよりもやや狭い白色ＬＥＤである（請求項２）。
これら撮影用照光装置５を構成する白色ＬＥＤ５Ａ〜５Ｇは、ＣＰＵ６によりＬＥＤドライバ７を介して選択的に発光制御される。分割測光手段８は、撮影視野範囲を分割し、分割された各分割範囲、すなわち分割測光範囲毎の測光結果をＣＰＵ６に送る。
【００２５】
ＣＰＵ６は、内蔵する記憶装置に「基準輝度情報」を格納している。この基準輝度情報は、フィルム感度検出手段９のフィルム感度出力により変化する。ＣＰＵ６は、各分割範囲毎の測光結果と基準輝度とを比較し、撮影用照光装置５を構成する白色ＬＥＤ５Ａ〜５Ｆのうち測光結果が基準輝度よりも暗いと判定された分割測光領域に対応する白色ＬＥＤを、ＬＥＤ選択信号により選択して、図示していないシャッタが開いている間、発光させる。
なお、撮影視野範囲の分割された各領域の画角に対応する白色ＬＥＤの照射角は、対応する分割範囲の画角と同じか、それよりもやや広くしておくことによって撮影範囲内の光量ムラを少なくする。
なお、ＣＰＵ６は、分割測光手段８からの測光結果同士を比較し、輝度差がＣＰＵ６の記憶装置に予め記憶されている基準値を超えた場合に、その暗い方の測光領域に対応する白色ＬＥＤをＬＥＤ選択信号により選択して、シャッタが開いている間発光させるようにしてもよい（これが請求項４に相当する）。
【００２６】
また、いわゆる逆光撮影の場合には、例えば撮影視野範囲を、撮影レンズ系の光軸近傍に相当する中央部付近とその周辺部の２つの領域に分割し中央領域の輝度が周辺領域に比して、所定輝度幅以上に暗い場合は、ＣＰＵ６は中央近傍を照明する白色ＬＥＤ、またはムラを改善するために照射角が撮影レンズ系の画角とほぼ同じかまたはやや狭い白色ＬＥＤ（請求項１〜図５の５Ｇに相当する）、あるいはそれらの両者を発光させることによって、中央の被写体の露光量を最適にする（これが請求項５に相当する）。
さらに、請求項６に対応する本発明の第４の実施の形態による撮影用照光装置を組み込んだカメラの電気系の構成を図６に示すブロック図を参照して説明する。図６に示すカメラは、撮影用照光装置１２、ＣＰＵ（中央制御装置）１３、ＬＥＤドライバ１４、分割測光手段１５、フィルム感度検出手段１６、絞り制御手段１７、電源電池１８および測距手段１９を備えている。
【００２７】
この場合、撮影用照光装置１２を構成する白色ＬＥＤ１２Ａ〜１２Ｆは、撮影視野範囲の分割された各領域を照明し、白色ＬＥＤ１２Ｇは、照射角が撮影レンズ系の画角とほぼ同じかそれよりもやや狭い白色ＬＥＤである（請求項１）。
これら撮影用照光装置１２を構成する白色ＬＥＤ１２Ａ〜１２Ｇは、ＣＰＵ１３によりＬＥＤドライバ１４を介して選択的に発光制御される。分割測光手段１５は、撮影視野範囲を分割し、分割された各分割範囲、すなわち分割測光範囲毎の測光結果をＣＰＵ１３に送る。
測距手段１９は、被写体までの被写体距離を測定し、その結果をＣＰＵ１３に送る。
ＣＰＵ１３は、撮影視野範囲の分割された各分割測光範囲の測光結果に基づいて、発光させるべき白色ＬＥＤをＬＥＤ選択信号により選択するとともに、測距手段１９からの測距結果とフィルム感度検出手段１６からのフィルム感度信号とに基づいて発光させるべき白色ＬＥＤの発光量を演算し、シャッタが開いている間に該当する白色ＬＥＤを発光させる。
【００２８】
なお、図５または図６に示す構成において、撮影視野範囲の分割された各分割範囲に対応する白色ＬＥＤ５Ａ〜５Ｆまたは１２Ａ〜１２ＦのいずれかがＣＰＵ６または１３の制御によって、発光する場合には、照射角が撮影レンズ系の画角とほぼ同じかあるいはやや狭い白色ＬＥＤ５Ｇまたは１２Ｇも同時に発光するように制御してもよい（これが請求項２および４の一部に相当する）。
また、撮影レンズ系の絞りを最大、つまり絞り開放、にした場合に、白色ＬＥＤを用いた撮影用照光装置５または１２による光量制御を最大限に生かすことができる。そのため、白色ＬＥＤを発光させる場合は、図５または図６に示す絞り制御手段１０または１７を用いて、ＣＰＵ６または１３からの絞り制御信号によって絞りを最大に制御する。また、シャッタ開閉羽根自体が、開口絞りを兼用している形式のシャッタの場合には、シャッタが全開になるように制御するようにしてもよい（これが請求項７に相当する）。
【００２９】
さらに、図５または図６において、図示していない手段によって、セルフタイマーや赤目軽減などの機能が選択された場合には、ＣＰＵ６または１３は、分割された撮影範囲を照明する白色ＬＥＤ５Ａ〜５Ｆまたは１２Ａ〜１２Ｆのうちの複数個を同時にＬＥＤドライバ７または１４を介して発光させるようにしてもよい（これが請求項８に相当する）。この場合、白色ＬＥＤを複数個同時発光させるのは、該白色ＬＥＤの照射範囲が比較的狭いため、セルフタイマー等に使用した場合、撮影範囲の特定の場所では表示が見づらくなるのを防ぐためである。
また、同様に、図５または図６において、図示していない手段によって、セルフタイマーや赤目軽減などの機能が選択された場合に、ＣＰＵ６または１３は、照射角が撮影レンズ系の画角とほぼ同じかまたはやや狭い白色ＬＥＤ５Ｇまたは１２Ｇを選択してＬＥＤドライバ７または１４を介して発光させるようにしてもよい（これが請求項９に相当する）。
【００３０】
なお、上述のような表示（請求項８および請求項９に対応する表示）を行う際に、被写体を照明するときほどの白色ＬＥＤの発光量は必要でないので、ＣＰＵ６または１３は、ＬＥＤ光量制御信号をＬＥＤドライバ７または１４に送って、発光させるためのＬＥＤ駆動電流を下げるなどして、光量を変化させるようにしてもよい（これが請求項１０に相当する）。
上述したように、ディスクリートタイプの白色ＬＥＤであって、しかも白色ＬＥＤの前面にそれぞれ形成されるレンズによる照射角を撮影レンズ系の画角よりも狭い複数個の白色ＬＥＤを使用し、各白色ＬＥＤの光軸を撮影レンズ系の光軸に対して角度を付けて配置して、撮影用照光装置を構成し、複数個の白色ＬＥＤによる合成照射野で撮影視野範囲全域をカバーするようにしたため、撮影に寄与しない部分の光量を大幅に減らすことができる。
【００３１】
さらに、撮影レンズ系の画角と同じかまたはやや狭い照射角を持つ白色ＬＥＤを追加することによって撮影視野範囲全体を照射し、発光量のムラを改善することができる。また、撮影視野範囲を分割し、分割した各分割範囲に対応した照明を行うため、従来不可能であった、撮影視野範囲内の局所照明が可能となり、より鮮明な写真撮影ができるようになる。加えて、複数の白色ＬＥＤを使用するため、本来の撮影用照明以外に一部の白色ＬＥＤを用いてセルフタイマーや、赤目防止等の他の機能にも兼用させることができ、小型化およびローコスト化にさらに貢献させることができる。
【００３２】
【発明の効果】
以上述べたように、本発明によれば、発光部前面にレンズが形成されてなるディスクリートタイプの白色ＬＥＤを複数個用いて、前面に形成されるレンズによる照射角が撮影レンズの画角より狭い白色ＬＥＤを組み合わせることにより、撮影視野を効率よく照光し得る撮影用照光装置を提供することができる。
【００３３】
特に、本発明の請求項１の撮影用照光装置によれば、発光部前面にレンズが形成されたディスクリートタイプの白色発光ダイオードを複数個用いて撮影視野の照明を行なうにあたり、撮影レンズの画角と概略同じか若干狭い照射角の発光照射角を有する少なくとも１つの白色発光ダイオードを、その照射野がほぼ撮影視野全域をカバーするようにその光軸を撮影レンズの光軸にほぼ平行に配置するとともに、発光照射角が撮影レンズの画角より狭い２個以上の白色発光ダイオードを、これら２個以上の発光ダイオードの組み合わせにより照射野が撮影視野全域をカバーするように、各々の光軸を撮影レンズの光軸に対して角度を付けて配置することにより、特に、複数の白色ＬＥＤによる照射ムラを改善することができる。
【００３４】
本発明の請求項２の撮影用照光装置によれば、発光部前面にレンズが形成されたディスクリートタイプの白色発光ダイオードを複数個用いて撮影視野の照明を行なうに当たり、撮影レンズの画角と概略同じか若干狭い照射角の発光照射角を有し、その照射野がほぼ前記撮影視野全域をカバーするように、少なくとも一つの白色発光ダイオードを、その光軸を撮影レンズの光軸にほぼ平行に配置し、発光照射角が撮影レンズの画角より狭い２個以上の白色発光ダイオードを、これら２個以上の発光ダイオードの組み合わせによる照射野が撮影視野全域をカバーするように、各々の光軸を撮影レンズの光軸に対して角度を付けて配置するとともに、分割測光手段により、前記撮影視野全域を、各々が少なくとも１個の前記発光照射角が撮影レンズの画角より狭い白色発光ダイオードの照射野に対応する複数の分割測光領域に分割して測光し、基準輝度情報を保持する輝度判定手段により、前記分割測光手段の測光結果と前記基準輝度情報とを比較して前記測光結果が前記基準輝度を超えたか否かを判定して、前記輝度判定手段による前記分割測光領域毎の測光結果と前記基準輝度情報との比較による判定結果に基づいて発光制御手段により発光照射角が撮影レンズの画角より狭い複数の白色発光ダイオードを選択的に発光させるとともに、前記発光制御手段が、前記複数の白色発光ダイオードのうちの、前記測光結果が該基準輝度以下と判定された分割測光領域に対応する撮影視野部分を照明する白色発光ダイオードを選択的に発光させ、さらに、前記撮影レンズの画角より若干狭い照射角以上の発光照射角を有する少なくとも１つの白色発光ダイオードを同時発光させる。
このような構成により、特に、撮影範囲の各部のうちで暗い部分だけを適切に照明し、撮影範囲全体に渡ってバランスの良い明るさにすることを可能とするとともに、明るい部分を無駄に照明することがなく、省電力化を達成することができ、さらには、別個の白色発光ダイオードにより分割照明された撮影範囲の各部の輝度とその他の部分の輝度差が極端に大きくならないようにすると共に、複数の照明による光量ムラを改善することができる。
【００３５】
本発明の請求項３の撮影用照光装置によれば、フィルム感度の値に応じて前記輝度判定手段に保持される前記基準輝度情報の値を変化させるためのフィルム感度設定手段をさらに具備することにより、特に、発光制御の基準輝度を使用感度に合わせて変化させ、より適切な発光基準を設定することが可能となる。
本発明の請求項４の撮影用照光装置によれば、発光部前面にレンズが形成されたディスクリートタイプの白色発光ダイオードを複数個用いて撮影視野の照明を行なうに当たり、撮影レンズの画角と概略同じか若干狭い照射角の発光照射角を有し、その照射野がほぼ撮影視野全域をカバーするように、少なくとも１つの白色発光ダイオードをその光軸を撮影レンズの光軸にほぼ平行に配置し、発光照射角が撮影レンズの画角より狭い２個以上の白色発光ダイオードを、これら２個以上の発光ダイオードの組み合わせによる照射野が撮影視野全域をカバーするように、各々の光軸を撮影レンズの光軸に対して角度を付けて配置するとともに、分割測光手段により、前記撮影視野全域を、各々が少なくとも１個の発光照射角が撮影レンズの画角より狭い前記白色発光ダイオードの照射野に対応する複数の分割測光領域に分割して測光し、前記分割測光手段の各分割測光領域で測光された輝度を、輝度比較手段が前記測光領域相互間で比較し、輝度差判定手段が、前記輝度比較手段の比較結果に基づく輝度差が所定値を超えたか否かを判定して、発光制御手段により、前記輝度差判定手段による判定結果に基づいて発光照射角が撮影レンズの画角より狭い前記複数の白色発光ダイオードを選択的に発光させるとともに、前記発光制御手段が、発光照射角が撮影レンズの画角より狭い前記複数の白色発光ダイオードのうちの、前記輝度差判定手段により前記輝度差が前記所定値を超えたと判定された２つの分割測光領域のうちの低輝度側の前記分割測光領域に対応する撮影視野部分を照明する白色発光ダイオードを選択的に発光させ、さらに前記撮影レンズの画角より若干狭い照射角以上の発光照射角を有する少なくとも１つ以上の白色発光ダイオードを同時発光させることにより、特に、撮影範囲全体が明るい場合における比較的暗い部分の黒つぶれを改善することができると共に、個別の白色ＬＥＤにより分割照明された撮影範囲の各部の輝度とその他の部分の輝度差が極端に大きくならないようにするとともに、複数の部分照明による光量ムラを改善することができる。
【００３６】
本発明の請求項５の撮影用照光装置によれば、前記分割測光手段が、前記撮影視野全域を、前記撮影レンズの画角の中央近傍の部分とその周辺の部分の２つの分割測光領域に分割し、且つ前記発光制御手段が、前記輝度差判定手段により前記輝度差が前記所定値を超え、前記撮影レンズの画角の中央近傍の分割測光領域が低輝度側であると判定された場合、前記撮影レンズの画角の中央近傍の分割測光領域を照射野に含む前記白色発光ダイオードの少なくとも１つを発光させることにより、特に、逆光撮影に対応し得る撮影用照光装置を提供することにある。
本発明の請求項６の撮影用照光装置によれば、被写体距離を計測する測距手段、および適用されるフィルム感度を検出するフィルム感度検出手段を具備し、光量演算手段が、前記測距手段による測距結果および前記フィルム感度検出手段により検出されたフォルム感度に基づいて被写体に照射すべき照射光量を求め、且つ前記発光制御手段が、前記光量演算手段によって求められた照射光量に基づいて前記白色発光ダイオードの発光個数および発光光量の少なくとも一方を可変制御する構成により、特に、被写体までの距離とフィルム感度に基づき撮影範囲の各部分に対応する白色ＬＥＤの光量の設定を可能とし、より正確な露光量を得ることができる。
【００３７】
本発明の請求項７の撮影用照光装置によれば、被写体照明として前記白色発光ダイオードを発光させる際には、絞り制御手段により前記撮影レンズの開口を制御する絞り手段による絞り開口を絞り開放に制御する構成により、特に、被写体を白色ＬＥＤで照明する際に、撮影レンズの絞り開口を開放、すなわち最大開口とし、白色ＬＥＤの光量を無駄なく利用することができる。
【００３８】
本発明の請求項８の撮影用照光装置によれば、前記複数個の白色発光ダイオードが、他の表示、例えばセルフタイマー等、に兼用され、本発明の請求項９の撮影用照光装置によれば、前記撮影レンズの画角と概略同じか若干狭い照射角の発光照射角を有し、その照射野がほぼ撮影視野全域をカバーするように撮影光軸を撮影レンズの光軸にほぼ平行に配置した白色発光ダイオードのうちの少なくとも１つは、他の表示、例えばセルフタイマー等、に兼用され、そして本発明の請求項１０の撮影用照光装置によれば、前記発光制御手段が、前記白色発光ダイオードの発光光量を可変制御する光量制御手段を含み、且つ前記光量制御手段が、前記他の表示、例えばセルフタイマー等、の際には、被写体照明の場合に比して発光光量を変える。これらの構成により、特に、照明用の白色発光ダイオードを、例えばセルフタイマー等のような、他の表示に利用することによって、小型化およびローコスト化を実現し得る。
【図面の簡単な説明】
【図１】本発明の第１の実施の形態に係る撮影用照光装置を装備したカメラの構成を模式的に示す正面図である。
【図２】図１の撮影用照光装置の６個の白色発光ダイオード（白色ＬＥＤ）による個々の照射野と撮影範囲との関係を模式的に示す図である。
【図３】図１の撮影用照光装置に１２個の白色発光ダイオード（白色ＬＥＤ）を用いた場合の個々の照射野と撮影範囲との関係を模式的に示す図である。
【図４】本発明の第２の実施の形態に係る撮影用照光装置を装備したカメラの構成を模式的に示す正面図である。
【図５】本発明の第３の実施の形態に係る撮影用照光装置を装備したカメラの要部の回路構成を模式的に示すブロック図である。
【図６】本発明の第４の実施の形態に係る撮影用照光装置を装備したカメラの要部の回路構成を模式的に示すブロック図である。
【符号の説明】
１  撮影レンズ系
１ａ  レンズバリア
２  レリーズボタン
３，４，５，１２  撮影用照光装置
６，１３  ＣＰＵ（中央制御装置）
７，１４  ＬＥＤ（発光ダイオード）ドライバ
８，１５  分割測光手段
９，１６  フィルム感度検出手段
１０，１７  絞り制御手段
１１，１８  電源電池
１９  測距手段
３Ａ〜３Ｆ、４Ａ〜４Ｇ、５Ａ〜５Ｇ、１２Ａ〜１２Ｇ  白色発光ダイオード（白色ＬＥＤ）
【図１】
0003701190.tif 000002
【図２】
0003701190.tif 000003
【図３】
0003701190.tif 000004
【図４】
0003701190.tif 000005
【図５】
0003701190.tif 000006
【図６】
0003701190.tif 000007